【手続補正書】
【提出日】平成26年6月17日(2014.6.17)
【手続補正１】
【補正対象書類名】明細書
【補正対象項目名】００１１
【補正方法】変更
【補正の内容】
【００１１】
このような場合、前記トランスコーダは映像種別情報判断部をさらに含んでもよく、当該映像種別情報判断部が前記プロキシサーバから前記映像種別情報を受信した場合、それぞれの映像種別情報の複数の映像種別候補が対応する種別情報確度に応じて、高い順に種別情報確度が対応する映像種別候補の判断アルゴリズムを順次適用して映像データの映像種別を特定する。
【手続補正２】
【補正対象書類名】明細書
【補正対象項目名】００１２
【補正方法】変更
【補正の内容】
【００１２】
このように、例えば、コンテナ種別情報の中に複数の映像種別候補が存在し、且つ映像種別候補に対応する種別情報確度が存在する場合、トランスコーダは確度の大きさに基づいて、正確な映像種別が見つかるまでに種々の判断アルゴリズムを順次適用することができる。
【手続補正３】
【補正対象書類名】明細書
【補正対象項目名】００８７
【補正方法】変更
【補正の内容】
【００８７】
例えば、上述の実施形態において、トランスコーダがプロキシサーバからコンテナ種別とＣＯＤＥＣ種別に関する情報を受信して判断するが、トランスコーダはその中の一種類の映像種別情報のみを取得して候補の間の判断を行ない、その他の映像種別に対しては直接あらかじめ決められた順序で可能な限りのすべての判断アルゴリズムを順次適用して正確な映像種別を見つけてもよい。
【手続補正４】
【補正対象書類名】明細書
【補正対象項目名】００９１
【補正方法】変更
【補正の内容】
【００９１】
また、上述の実施形態において説明したように、映像配信サーバは映像種別通知機能を有し、あるいは映像配信要求から確度を特定できない場合、映像種別情報には映像種別情報確度を含まなくてもよい。他方、複数の映像種別候補が存在する場合、トランスコーダはあらかじめ指定された順序で種々の映像種別候補が対応するアルゴリズムを適用してもよい。
【手続補正５】
【補正対象書類名】特許請求の範囲
【補正対象項目名】全文
【補正方法】変更
【補正の内容】
【特許請求の範囲】
【請求項１】
プロキシサーバと前記プロキシサーバに接続されたトランスコーダと、を含み、
前記プロキシサーバは
映像配信を要求する端末と配信対象の映像データを管理する映像配信サーバ間の通信を中継し、ネットワークを経由して通信を行うネットワークインターフェースと、
前記ネットワークインターフェースを経由して前記端末から映像配信の開始を要求する映像配信要求を受信した場合、前記映像配信要求の示す映像配信サーバが映像種別通知機能を有するかどうかを判断する通知機能判断部と、
前記通知機能判断部が前記映像配信サーバは映像種別通知機能を有しないと判断した場合、前記端末から受信した映像配信要求に含まれるコンテンツ識別子またはコンテンツ補足情報を解析して、映像種別に関する情報としてコンテナ種別情報及び／又はＣＯＤＥＣ種別情報の抽出を試み、抽出した情報及び抽出した情報の確度を映像種別情報として前記トランスコーダに送信する映像配信要求解析部と、を有し、
前記トランスコーダは
前記プロキシサーバから受信した映像種別情報を用いて、前記プロキシサーバの指示に基づいて、配信中の前記映像データに対して種々の映像データ処理を行なう
ことを特徴とする映像配信制御システム。
【請求項２】
前記映像配信要求解析部による抽出の試みにより、前記情報を抽出できない場合、前記抽出した情報の確度を０とすることを特徴とする請求項１に記載の映像配信制御システム。
【請求項３】
請求項１に記載の映像配信制御システムであって、
それぞれの映像種別情報は複数の映像種別候補と当該映像種別候補に対応して当該映像種別候補の確度を示す種別情報確度の組を含むことを特徴とする映像配信制御システム。
【請求項４】
請求項３に記載の映像配信制御システムであって、
前記トランスコーダは
映像種別情報判断部をさらに含み、当該映像種別情報判断部が前記プロキシサーバから前記映像種別情報を受信した場合、それぞれの映像種別情報の複数の映像種別候補が対応する種別情報確度に応じて、高い順に種別情報確度が対応する映像種別候補の判断アルゴリズムを順次適用して映像データの映像種別を特定する
ことを特徴とする映像配信制御システム。
【請求項５】
プロキシサービス手段と前記プロキシサービス手段に接続されたコード変換手段と、を備え、
前記プロキシサービス手段は
映像配信を要求する端末と配信対象の映像データを管理する映像配信サーバ間の通信を中継し、ネットワークを経由して通信を行うネットワークインターフェースと、
前記ネットワークインターフェースを経由して前記端末から映像配信の開始を要求する映像配信要求を受信した場合、前記映像配信要求の示す映像配信サーバが映像種別通知機能を有するかどうかを判断する通知機能判断部と、
前記通知機能判断部が前記映像配信サーバは映像種別通知機能を有しないと判断した場合、前記端末から受信した映像配信要求に含まれるコンテンツ識別子またはコンテンツ補足情報を解析して、映像種別に関する情報としてコンテナ種別情報及び／又はＣＯＤＥＣ種別情報の抽出を試み、抽出した情報及び抽出した情報の確度を映像種別情報として前記プロキシサービス手段に送信する映像配信要求解析部と、を有し、
前記プロキシサービス手段は
前記プロキシサービス手段から受信した映像種別情報を用いて、前記プロキシサービス手段の指示に基づいて、配信中の前記映像データに対して種々の映像データ処理を行なう
ことを特徴とする管理サーバ。
【請求項６】
前記映像配信要求解析部による抽出の試みにより、前記情報を抽出できない場合、前記抽出した情報の確度を０とすることを特徴とする請求項５に記載の管理サーバ。
【請求項７】
請求項５に記載の管理サーバであって、
それぞれの映像種別情報は複数の映像種別候補と当該映像種別候補に対応して当該映像種別候補の確度を示す種別情報確度の組を含むことを特徴とする管理サーバ。
【請求項８】
請求項７に記載の管理サーバであって、
前記プロキシサービス手段は
映像種別情報判断部をさらに含み、当該映像種別情報判断部が前記プロキシサービス手段から前記映像種別情報を受信した場合、それぞれの映像種別情報の複数の映像種別候補が対応する種別情報確度に応じて、高い順に種別情報確度が対応する映像種別候補の判断アルゴリズムを順次適用して映像データの映像種別を特定する
ことを特徴とする管理サーバ。
【請求項９】
映像配信制御システムにおける映像配信制御方法であって、
前記映像配信制御システムはプロキシサーバと前記プロキシサーバに接続されたトランスコーダと、を備え、
前記プロキシサーバは映像配信を要求する端末と配信対象の映像データを管理する映像配信サーバ間の通信を中継し、
前記映像配信制御方法は、
前記プロキシサーバがネットワークインターフェースを経由して前記端末から映像配信の開始を要求する映像配信要求を受信した場合、前記映像配信要求の示す映像配信サーバが映像種別通知機能を有するかどうかを判断するステップと、
前記判断するステップにおいて前記映像配信サーバは映像種別通知機能を有しないと判断した場合、前記プロキシサーバが前記端末から受信した映像配信要求に含まれるコンテンツ識別子またはコンテンツ補足情報を解析して、映像種別に関する情報としてコンテナ種別情報及び／又はＣＯＤＥＣ種別情報の抽出を試み、抽出した情報及び抽出した情報の確度を映像種別情報として前記トランスコーダに送信するステップと、
前記トランスコーダが前記プロキシサーバから受信した映像種別情報を用いて、前記プロキシサーバの指示に基づいて、配信中の前記映像データに対して種々の映像データ処理を行なうステップと、
を含むことを特徴とする映像配信制御方法。
【請求項１０】
前記送信するステップにおける抽出の試みにより、前記情報を抽出できない場合、前記抽出した情報の確度を０とすることを特徴とする請求項９に記載の映像配信制御方法。
【請求項１１】
請求項９に記載の映像配信制御方法であって、
それぞれの映像種別情報は複数の映像種別候補と当該映像種別候補に対応して当該映像種別候補の確度を示す種別情報確度の組を含むことを特徴とする映像配信制御方法。
【請求項１２】
請求項１１に記載の映像配信制御方法であって、
前記トランスコーダが前記プロキシサーバから前記映像種別情報を受信した場合、それぞれの映像種別情報の複数の映像種別候補が対応する種別情報確度に応じて、高い順に種別情報確度が対応する映像種別候補の判断アルゴリズムを順次適用して映像データの映像種別を特定するステップをさらに含むことを特徴とする映像配信制御方法。